(57)【要約】【課題】  表示ユニットが開閉可能なデジタルカメラにおいて、使用者の設定に応じて、電源制御機能を切り替えることが可能なデジタルカメラを提供する。【解決手段】液晶表示ユニットが閉じられた場合、電源のオン・オフをチェックする（ステップＳ４０１）。電源オフの場合（ステップＳ４０１のｎ）は、処理を終了する。一方電源オンの場合は（ステップＳ４０１のｙ）、液晶表示ユニット連動パワーオフ機能の有効・無効を示すフラグ０をチェックする。フラグ０が１の場合は（ステップＳ４０２のｙ）、電源オフ処理を行い４０３処理を終了する。一方、フラグ０が０の場合（ステップＳ４０２のｎ）は、液晶表示ユニットの表示電源のみをオフにし処理を終了する（ステップＳ４０４）。【選択図】  図４
2007096984.tif 000002
【特許請求の範囲】
【請求項１】
光学像を撮像する撮影手段と、
前記撮像手段により得られた画像データを圧縮する圧縮手段と、
前記圧縮手段により圧縮された画像データを記録する記録手段と、
本体に収容可能に配置され、開閉自在に構成された表示ユニットと、
前記表示ユニットの開閉状態を検出する検出手段と、
前記検出手段が検出した前記液晶表示ユニットの開閉状態に基づいて、電源制御を行う電源制御手段と、
前記電源制御手段が、前記表示ユニットが閉じることを検出することで電源をオフする動作を有効とするか無効とするかを選択可能に設定する設定手段と、
を具備したことを特徴とするデジタルカメラ。
【請求項２】
前記設定手段により、前記表示ユニットが閉じることを検出することで電源をオフする動作を無効とした場合、前記表示ユニットを閉じたときには、前記表示ユニットの表示に関わる電源のみをオフにすることを特徴とする請求項１記載のデジタルカメラ。
【請求項３】
前記設定手段により、前記表示ユニットが閉じることを検出することで電源をオフする動作を有効とした場合、前記表示ユニットを開いたときに、システム全体の電源をオンすることを特徴とする請求項１記載のデジタルカメラ。
【発明の詳細な説明】
【技術分野】
【０００１】
本発明はデジタルカメラに関し、特に開閉可能な表示ユニットを有するデジタルカメラの電源管理機能に関する。
【背景技術】
【０００２】
デジタルカメラや、ビデオカメラには、撮影中の画像や、撮影した画像を表示する表示ユニットが可動可能に構成されたものが存在する。
【０００３】
そして、この表示ユニットを開閉することで、使用状態と非使用状態とを切り替えることができ、表示部の開閉状態に連動して自動的本体の電源をオンオフする機能を有するものが存在する。 例えば、特許文献１参照。
【特許文献１】特開平９ −２２４１７６ 号公報
【発明の開示】
【発明が解決しようとする課題】
【０００４】
しかしながら、上述した従来技術では、表示部の開閉状態に連動した電源制御の機能を使用者が選択することができず、使用者の自由度が低かった。また長時間の動画撮影時などでは、表示ユニットを閉じて利用したいが表示ユニットを閉じると電源オフされてしまうので、このような利用方法を選択することができなかった。
【０００５】
従って本発明は、表示ユニットが開閉可能なデジタルカメラにおいて、使用者の設定に応じて電源制御機能を切り替えることが可能なデジタルカメラを提供することを目的とするものである。
【課題を解決するための手段】
【０００６】
本発明は、上記目的を達成するため、光学像を撮像する撮影手段と  前記撮像手段により得られた画像データを圧縮する圧縮手段と、前記圧縮手段により圧縮された画像データを記録する記録手段と、本体に収容可能に配置され、開閉自在に構成された表示ユニットと、前記表示ユニットの開閉状態を検出する検出手段と、前記検出手段が検出した前記液晶表示ユニットの開閉状態に基づいて、電源制御を行う電源制御手段と、前記電源制御手段が、前記表示ユニットが閉じることを検出することで電源をオフする動作を有効とするか無効とするかを選択可能に設定する設定手段とを具備したものである。
【０００７】
また、前記設定手段により、前記表示ユニットが閉じることを検出することで電源をオフする動作を無効とした場合、前記表示ユニットを閉じたときには、前記表示ユニットの表示に関わる電源のみをオフにするものである。
【０００８】
また、前記設定手段により、前記表示ユニットが閉じることを検出することで電源をオフする動作を有効とした場合、前記表示ユニットを開いたときに、システム全体の電源をオンするものである。
【発明の効果】
【０００９】
本発明によれば表示ユニットと連動した電源制御機能の設定を選択的に実行できるようにしたのでユーザの利用形態の自由度が高くなる。また、長時間の動画撮影時などに液晶表示ユニットを閉じ、余分な電力消費を無くすことで、バッテリの消費を抑えることができる。
【発明を実施するための最良の形態】
【００１０】
以下、図面を参照しながら本発明の実施の形態について説明する。
【００１１】
図１は、本発明の１実施形態を示すデジタルカメラのシステムブロック図である。本デジタルカメラでは、撮影画像をＡ／Ｄ変換した後のＣＣＤ出力デジタル信号１０１が、カメラ信号処理回路１０２にて各種信号処理を施され、JPEGMPEG処理回路１０３、メモリ回路１０４を介し、圧縮された画像または音声付動画像信号としてハードディスク１０５または不揮発性のメモリのメモリカード１０６に記録される。そして、撮影された画像は、Video Decoder１０７を介し、LCD Driver１０８を経てLCD１０９上に表示される。
【００１２】
再生時は、ハードディスク１０５またはメモリカード１０６から読み出された画像が、JPEG/MPEG処理回路１０３、メモリ回路１０４、Video Decoder１０７を介し、LCD Driver１０８を経てLCD１０９上に表示される。
【００１３】
ハードディスク１０５またはメモリカード１０６に記録された静止画像または動画像を外部機器に転送あるいは外部機器から受信するときは、USBコントローラ１１１を介してUSB端子１１３から送受信する。これは外部機器がPCを想定している。また、PCを介さずに例えばDVDレコーダのような画像記録再生装置に直接、MPEG圧縮された動画像を送受信することもできる。一般に、DVDレコーダにこれらの画像を転送するときは、MPEG圧縮された動画像をカメラ側でデコードし、ビデオ端子やS端子からアナログ出力し、画像記録再生装置側でアナログ信号を再圧縮して保存する。
【００１４】
この方法では、例えば１時間記録した動画像をDVDに記録するのに１時間かかる。しかし、ここではMPEG圧縮した動画データは、このままストリーミングとしてネットワーク経由でDVDに転送することができ、その転送時間は、圧縮率にも依存するが、実時間の数１０倍を達成でき、画質は、再エンコードしないため高画質のままである。
【００１５】
例えば１時間記録した動画像をDVDレコーダに記録するのに１/１０だと６分で済む。ネットワークとしてLANを考えた場合、LANコントローラ１１０を介してLAN端子１５から送受信する。なお、DVDレコーダへの転送は、動画に限定せずに静止画でも音声を含んだ場合でも構わない。
【００１６】
電源ボタン１１５または液晶表示ユニット開閉検出スイッチ１１６は、システム全体を制御するCPU１１４に押下の情報を与える。CPU１１４は、その情報から処理を実行する。
【００１７】
本実施形態では、液晶表示ユニットの開閉の変化する液晶表示ユニット開閉検出スイッチ１１６に連動して、電源のオン・オフを操作する液晶表示ユニット連動パワーオフ機能を使用するかを使用者が選択できるものである。
【００１８】
以下図２乃至図５を用いて本実施形態の動作を示す。
【００１９】
図２は、液晶表示ユニット連動パワーオフの機能を有効・無効に設定する際のフローである。使用者に、液晶表示ユニット連動パワーオフ設定メニューの提示を行う（ステップＳ２０１）。そして使用者によって液晶表示ユニット連動パワーオフ機能を有効にするように指示された場合（ステップＳ２０２のｙ）、フラグ０を１に設定する（ステップＳ２０３）。一方、無効にするように指示された場合、フラグ０を０に設定する（ステップＳ２０４）。
【００２０】
図３は、液晶表示ユニット開閉スイッチが切り替わったときのフローである。液晶表示ユニット開閉スイッチが切り替わったことをトリガとして、液晶表示ユニットの開閉状況をチェックする。液晶表示ユニットが閉じられている場合（ステップＳ３０１のｙ）は、後述する液晶表示ユニットが閉じられたときのタスク（図４にて後述）を起動して、そのタスクが終了すると処理を終了する（ステップＳ３０３）。一方、液晶表示ユニットが開かれている場合（ステップＳ３０１のｎ）は、後述する液晶表示ユニットが開かれたときのタスク（図５にて後述）を起動して、そのタスクが終了すると処理を終了する（ステップＳ３０４）。
【００２１】
図４は、液晶表示ユニットが閉じられたときの動作を示すフローである。液晶表示ユニットが閉じられた場合、電源のオン・オフをチェックする（ステップＳ４０１）。電源オフの場合（ステップＳ４０１のｎ）は、処理を終了する。一方電源オンの場合は（ステップＳ４０１のｙ）、液晶表示ユニット連動パワーオフ機能の有効・無効を示すフラグ０をチェックする。フラグ０が１の場合は（ステップＳ４０２のｙ）、電源オフ処理を行い４０３処理を終了する。一方、フラグ０が０の場合（ステップＳ４０２のｎ）は、液晶表示ユニットの表示電源のみをオフにし処理を終了する（ステップＳ４０４）。
【００２２】
図５は液晶表示ユニットが開かれたときの動作を示すフローチャートである。液晶表示ユニットが開かれた場合、電源のオン・オフをチェックする５０１（ステップＳ５０１）。電源がオフの場合は（ステップＳ５０１のｎ）、フラグ０をチェックする５０３。フラグ０が１の場合は、電源オン処理を行う（ステップＳ５０６）。０の場合は、処理を終了する。一方で、電源がオンの場合（ステップＳ５０１のｙ）は、フラグ０をチェックする（ステップＳ５０２）。フラグ０が１の場合は、電源オン処理を行い処理を終了する（ステップＳ５０４）。一方、フラグ０が０の場合は、液晶表示ユニットの電源をオンして終了する（ステップＳ５０５）。
【００２３】
最後に、上述した本実施形態の動作を行うデジタルカメラの外観図を説明する。
【００２４】
図６は本発明の一実施形態を示すデジタルカメラの外観図である。
【００２５】
図６（ａ）は、デジタルカメラを構成する本体に設けられた収納部に対して表示部を収納した状態を示す図である。図６（ｂ）は、液晶表示ユニットに表示される映像を視認可能な状態にした様子を示す図である。
【００２６】
図６に示すように、デジタルカメラは、本体１を備えており、この本体１は、レンズ２、フラッシュ３、静止画レコードボタン４、液晶表示ユニット５、動画レコードボタン６、ジョグダイヤル７、十字キー８、種別選択キー９、ズームバー１０、モードレバー１１、電源ボタン１２などを備えている。
【００２７】
さらに、本体１は、収納部２１を備えており、この収納部２１に、液晶表示ユニット５を収納することができる。表示部５は、可動自在に構成されており、収納部２１から取り出して、表示面を任意の角度に調整することができる。液晶表示ユニット５は、ＬＣＤ（液晶ディスプレイ）５１及びスピーカー５２を備えている。
【００２８】
このような構成において、本実施形態では、液晶表示ユニットとの連動パワーオフ機能の設定をユーザが選択的に実行できるようにしたので、ユーザの利用形態の自由度が高くなる。また、長時間の動画撮影時などに液晶表示ユニットを閉じ、余分な電力消費を無くすことで、バッテリの消費を抑えることができるものである。
【図面の簡単な説明】
【００２９】
【図１】本発明の一実施例を示すシステムブロック図である。
【図２】同実施形態のメニュー設定時の動作を示すフローチャートである。
【図３】同実施形態の液晶表示ユニットスイッチ切り替え時の動作を示すフローチャートである。
【図４】同実施形態の液晶表示ユニットを閉じた時の動作を示すフローチャートである。
【図５】同実施形態の液晶表示ユニットを開いた時の動作を示すフローチャートである。
【図６】同実施形態のデジカメカメラの外観を示す図である。
【符号の説明】
【００３０】
１０２ 信号処理回路、  １０３  ＪＰＥＧ／ＭＰＥＧ処理回路、１０４ メモリ、１０５ ＨＤＤ、１０６ メモリカード、１０７ ビデオデコーダ、１０８ ＬＣＤドライバ  １０９  ＬＣＤ、  １１０ ＬＡＮコントローラ  、１１２  ＬＡＮ端子、１１１ ＵＳＢドライバ、１１３ ＵＳＢ端子  １５  電源ボタン、１１４ ＣＰＵ、１１６ 表示ユニット開閉検出スイッチ。
【図１】
2007096984.tif 000003
【図２】
2007096984.tif 000004
【図３】
2007096984.tif 000005
【図４】
2007096984.tif 000006
【図５】
2007096984.tif 000007
【図６】
2007096984.tif 000008